(57)【要約】【課題】二人の作業者による同期した作業を削減し、間接活線工事中に、上下に延びる電線に容易に被覆できる間接シートを提供する。【解決手段】間接シート１は、矩形形状のシートを幅方向に２つ折りして構成され、長手方向に延びる折線部２１および該折線部２１に平行な一対の折り返し部２３を有する絶縁シート２と、絶縁シート２の一対の折り返し部２３近傍に、該折り返し部２３に沿って取り付けられる棒状体３と、絶縁シート２の外面に配置されると共に先端側を棒状体３に対してスライド可能に取り付けられ、絶縁シート２を開閉させる第１クリップ４および第２クリップ５と、を備える。【選択図】図１
2014120303.tif 000002
【特許請求の範囲】
【請求項１】
矩形形状のシートを幅方向に２つ折りして構成され、長手方向に延びる折線部および該折線部に平行な一対の開放側縁を有する絶縁シートと、
前記絶縁シートの一対の前記開放側縁近傍に、該開放側縁に沿って取り付けられる棒状体と、
前記絶縁シートの外面に配置されると共に先端側を前記棒状体に対してスライド可能に取り付けられ、前記絶縁シートを開閉させる２つのクリップと、を備える間接シート。
【請求項２】
前記クリップは、
先端側を前記棒状体に対してスライド可能に取り付けられる一対の挟持部と、
一対の前記挟持部の基端側において一対の前記挟持部の先端側を開閉可能に連結する軸と、
前記軸に対して一対の前記挟持部とは反対側に設けられ、一対の前記挟持部を開閉させる一対の把持部と、を有し、
２つの前記クリップは、互いの一対の前記把持部を接触させるそれぞれの側面に磁石を有する請求項１に記載の間接シート。
【請求項３】
２つの前記クリップのうち一方の前記クリップの一対の前記把持部は、２つの前記クリップを隣接させたときに他方の前記クリップの一対の前記把持部の一部に被さる一対の操作板を有する請求項１または２に記載の間接シート。
【発明の詳細な説明】
【技術分野】
【０００１】
本発明は、間接シートに関する。より詳しくは、間接活線工事中に、上下に延びる電線に容易に被覆できる間接シートに関する。
【背景技術】
【０００２】
従来、間接シートとしては、特許文献１に開示された技術が知られている（例えば、特許文献１参照）。
特許文献１に開示された技術では、幅方向に２つ折りされた絶縁シートと、長手方向と一致して上下に延びる２つ折りされた絶縁シートの上端部および下端部にそれぞれ取り付けられた２つのクリップと、を備える。
【０００３】
この技術では、先ず、二人の作業者は、各クリップの一対の把持部をそれぞれ把持し、間接シートを上下に延びる電線に近づける。次に、間接活線工具を用いて上側のクリップの一対の把持部を把持した作業者は、上側のクリップの一対の挟持部を開いて電線に取付け、間接シートを電線に被覆する。そして、間接活線工具を用いて下側のクリップの一対の把持部を把持した作業者は、下側のクリップの一対の挟持部を開いて電線に取り付け、間接シートを電線に被覆する。
【先行技術文献】
【特許文献】
【０００４】
【特許文献１】特開平１０−２７１６２８号公報
【発明の概要】
【発明が解決しようとする課題】
【０００５】
上記特許文献１に開示された技術では、間接シートにおける２つのクリップの位置は固定されているため、二人がかりで間接シートを電線に近づけ、その状態で各作業者が担当する各クリップを電線に取り付ける作業を行う。
このため、二人の作業者は、同期した作業を行う必要があり、作業が煩雑であった。
【０００６】
本発明は、上記課題を解決するためのものであり、その目的は、二人の作業者による同期した作業を削減し、間接活線工事中に、上下に延びる電線に容易に被覆できる間接シートを提供することにある。
【課題を解決するための手段】
【０００７】
（１）本発明に係る間接シートは、矩形形状のシートを幅方向に２つ折りして構成され、長手方向に延びる折線部および該折線部に平行な一対の開放側縁を有する絶縁シートと、前記絶縁シートの一対の前記開放側縁近傍に、該開放側縁に沿って取り付けられる棒状体と、前記絶縁シートの外面に配置されると共に先端側を前記棒状体に対してスライド可能に取り付けられ、前記絶縁シートを開閉させる２つのクリップと、を備える。
【０００８】
（２）前記クリップは、先端側を前記棒状体に対してスライド可能に取り付けられる一対の挟持部と、一対の前記挟持部の基端側において一対の前記挟持部の先端側を開閉可能に連結する軸と、前記軸に対して一対の前記挟持部とは反対側に設けられ、一対の前記挟持部を開閉させる一対の把持部と、を有し、２つの前記クリップは、互いの一対の前記把持部を接触させるそれぞれの側面に磁石を有することが好ましい。
【０００９】
（３）２つの前記クリップのうち一方の前記クリップの一対の前記把持部は、２つの前記クリップを隣接させたときに他方の前記クリップの一対の前記把持部の一部に被さる一対の操作板を有することが好ましい。
【発明の効果】
【００１０】
本発明によれば、二人の作業者による同期した作業を削減し、間接活線工事中に上下に延びる電線に容易に被覆できる間接シートを提供することができる。
【図面の簡単な説明】
【００１１】
【図１】本発明の実施形態に係る間接シートを示す平面図である。
【図２】上記実施形態に係る間接シートの第１クリップおよび第２クリップを隣接した状態を示す拡大図である。
【図３】上記実施形態に係る間接シートを高圧引下線に近づける状態を示す図である。
【図４】上記実施形態に係る間接シートの第２クリップをスライドさせて高圧引下線に取り付ける状態を示す図である。
【図５】上記実施形態の他の例に係る間接シートの第１クリップおよび第２クリップを隣接した状態を示す拡大図である。
【発明を実施するための形態】
【００１２】
以下、図面を参照して本発明の実施形態について説明する。
［間接シートの構成］
最初に、本実施形態に係る間接シート１の構成を説明する。
間接シート１は、間接活線工事によって配電変圧器の吊替えや高圧カットアウトの取替えを行う際に、高圧引下線Ｌに被覆される（図４参照）。
【００１３】
図１に示すように、間接シート１は、絶縁シート２と、棒状体３と、第１クリップ４と、第２クリップ５と、を備える。
【００１４】
絶縁シート２は、矩形形状のシートを２つ折りされて構成される。この絶縁シート２は、軟質の合成樹脂材により構成され、絶縁性を有する。
絶縁シート２は、折線部２１と、平面部２２と、折り返し部２３と、を有する。
【００１５】
折線部２１は、絶縁シート２を幅方向に２つ折りにした場合の折線の位置、即ち、絶縁シート２の長手方向に延びる幅方向中心線Ｃ１上に形成される。折線部２１で２つ折りにされた絶縁シート２は、長手方向を上下方向と一致させた状態で用いられる。
【００１６】
平面部２２は、絶縁シート２における折線部２１の幅方向の一方および他方により２つ構成される。
【００１７】
折り返し部２３は、２つの平面部２２それぞれの折線部２１と平行に延びる一対の開放側縁において、絶縁シート２を外面側に折り返して構成される。より詳細には、折り返し部２３は、折り返し端において平面部２２に接合されており、折り返し端を除く部分においては、各平面部２２には接合されていない。具体的な折り返し端の位置は、絶縁シートの上端部および下半分である。
折り返し部２３は、絶縁シート２の長手方向（上下方向）に延びる孔部２４を有する筒状に形成される。
【００１８】
棒状体３は、円柱状の棒によって構成される。この棒状体３は、硬質のプラスチックにより構成され、絶縁性を有する。
棒状体３の径は、棒状体３を絶縁シート２の折り返し部２３に形成された孔部２４に嵌入可能な様に孔部２４の孔径よりも小さく設定される。
【００１９】
第１クリップ４および第２クリップ５は、絶縁シート２の外面に配置され、折線部２１で２つ折りにされた絶縁シート２を開閉することができ、通常時は絶縁シート２を閉じた状態に保持する。
第１クリップ４および第２クリップ５は、先端側を棒状体３に対してスライド可能に取り付ける。
【００２０】
次に、第１クリップ４を代表に、第１クリップ４および第２クリップ５の構成を説明する。
第１クリップ４は、一対の挟持部材４１，４１と、コイルバネ（不図示）と、を有する。
【００２１】
一対の挟持部材４１，４１は、長手方向の偏った位置で屈曲された矩形の板状に形成される。この一対の挟持部材４１，４１は、硬質のプラスチックにより構成され、絶縁性を有する。
一対の挟持部材４１，４１は、屈曲部分に、幅方向に延びる軸４２を有する。一対の挟持部材４１，４１は、互いの軸４２を合わせ、軸４２を中心として互いに相手方に対して回動可能に軸支される。
一対の挟持部材４１，４１のそれぞれは、軸４２を境にして、一方側に挟持部６を有し、他方側に把持部７を有する。
【００２２】
各挟持部６は、同じ略直方体形状であり、基端側において軸４２に連結される。
各挟持部６は、先端に両側面に貫通する貫通孔６１を有する。貫通孔６１の孔径は、棒状体３を貫通孔６１にスライド可能な様に、棒状体３の径よりも大きく設定される。
【００２３】
各把持部７は、挟持部６よりも小さい同じ略直方体形状であり、軸４２に対して挟持部６とは反対側に設けられる。
各把持部７の外面は、滑り止め加工を施したグリップ面７１に加工される。第１クリップ４の各把持部７の上端部は、外方に突出する鍔部７２を有する。
第１クリップ４の各把持部７は、下側側面に露出する磁石７３を内包する。第２クリップ５の各把持部７は、上側側面に露出する磁石７４を内包する。
図２に示すように、第１クリップ４および第２クリップ５に内包されるそれぞれの磁石７３，７４は、第１クリップ４および第２クリップ５の互いの一対の把持部７，７を隣接させる際に、くっつく磁極を有する。
【００２４】
コイルバネ（不図示）は、本体部を軸４２に内装すると共に各端部を一対の把持部７，７のそれぞれに内装する。このコイルバネは、一対の挟持部６，６を閉じる方向に力を付勢している。このため、作業者は、間接活線工具を用いて一対の把持部７，７をコイルバネの付勢力に抗って近づけると、一対の挟持部６，６を開くことができる。一方、作業者が一対の把持部７，７を解放すると、コイルバネの付勢によって一対の挟持部６，６は閉じる。
【００２５】
［間接シートの組み立て方法］
次に、間接シート１の組み立て方法を説明する。
先ず、２つ折りにした絶縁シート２を、一対の挟持部６，６で挟む様に、第１クリップ４および第２クリップ５を配置する。ここで、第１クリップ４および第２クリップ５は、絶縁シート２の上端部および下半分の２つの折り返し部２３間に、折り返し部２３の孔部２４と同様に棒状体３が挿入される貫通孔６１をつなぐ様に配置される。
【００２６】
次に、２本の棒状体３を、折り返し部２３の孔部２４並びに第１クリップ４および第２クリップ５の貫通孔６１にそれぞれ挿入する。これにより、第１クリップ４および第２クリップ５のそれぞれの一対の挟持部６，６は、スライド可能な棒状体３を介して絶縁シート２の外面に取り付けられる。
【００２７】
［間接シートのアプローチ例］
図３、図４に示すように、間接シート１は、間接活線工事によって配電変圧器の吊替えや高圧カットアウトの取替えを行う際に、腕金間に上下に延びる高圧引下線Ｌに被覆される。
【００２８】
図３に示すように、先ず、作業者は、第１クリップ４および第２クリップ５をスライドさせ、第１クリップ４および第２クリップ５を隣接させる。このとき、第１クリップ４および第２クリップ５の互いの磁石７３，７４がくっつき、第１クリップ４および第２クリップ５は、一体的に操作可能になる。
【００２９】
このとき、第１クリップ４および第２クリップ５のスライド可能な範囲は、絶縁シート２の上端部および下半分の２つの折り返し部２３間に規定される。このため、一体的に操作可能になった第１クリップ４および第２クリップ５は、長手方向を上下方向に一致させた間接シート１の重心よりも上方に位置する。これにより、作業者は、一人で上下方向の向きが正しい間接シート１を上下に延びる高圧引下線Ｌに近づけることができる。
なお、好ましい形態は、第２クリップ５を間接シート１の上端部に位置する第１クリップ４に隣接させる様、スライドさせるとよい。
【００３０】
次に、作業者は、間接活線工具１００Ａを用いて隣接した第１クリップ４および第２クリップ５のそれぞれの一対の把持部７，７を同時に把持する。このとき、作業者は、それぞれの一対の把持部７，７を同時に操作して第１クリップ４および第２クリップ５のそれぞれの一対の挟持部６，６を同時に開くことができる様に、２つの一対の把持部７，７を把持する。
【００３１】
次に、その作業者は、第１クリップ４および第２クリップ５のそれぞれの一対の把持部７，７を把持した間接シート１を、腕金間に上下に延びる高圧引下線Ｌに近づける。
このとき、作業者は、一人で上下方向の向きが正しい間接シート１を上下に延びる高圧引下線Ｌに近づけることになる。
このように一人の作業者のみが間接シート１を操るため、二人の作業者の同期した作業は必要なく、作業者は、一人で間接シート１を高圧引下線に容易に近づけることができる。
【００３２】
［間接シートの取付例］
図４に示すように、間接シート１の第１クリップ４および第２クリップ５を高圧引下線Ｌに取り付ける。
【００３３】
先ず、間接シート１を高圧引下線Ｌに近づけた作業者は、間接活線工具１００Ａを用いて第１クリップ４および第２クリップ５のそれぞれの一対の把持部７，７を同時に操作し、一対の挟持部６，６を開いて高圧引下線Ｌに取り付ける。これにより、間接シート１は、高圧引下線Ｌを覆う。
【００３４】
次に、作業者は、間接活線工具１００Ａを用いて第２クリップ５のみの一対の把持部７，７を把持する。そして、この作業者は、第２クリップ５の一対の把持部７，７を操作し、一対の挟持部６，６を開いて、図示矢印のように第２クリップ５をスライドさせる。
また、作業者は、その後に、第２クリップ５と同様に、第１クリップ４をスライドさせてもよい。
これにより、第１クリップ４および第２クリップ５の間隔は広がるため、間接シート１は、高圧引下線Ｌに安全に保持される。
【００３５】
以上の本実施形態に係る間接シート１によれば、以下の効果を奏する。
【００３６】
（１）間接シート１は、絶縁シート２の外面に配置されると共に先端側を棒状体３に対してスライド可能に取り付けられ、絶縁シート２を開閉させる第１クリップ４および第２クリップ５を備える。このため、第１クリップ４および第２クリップ５は、棒状体３に対してスライド可能なため、第１クリップ４および第２クリップ５を隣接させて一体的に操作することができる。これにより、作業者は、間接活線工具１００Ａを用いて隣接した第１クリップ４および第２クリップ５のそれぞれの一対の把持部７，７を同時に把持し、一人で間接シート１を上下に延びる高圧引下線Ｌに近づけることができる。そして、この作業者は、間接活線工具１００Ａを用いて隣接した第１クリップ４および第２クリップ５のそれぞれの一対の把持部７，７を同時に操作することで、一人で間接シート１を高圧引下線Ｌに被覆することができる。次に、作業者は、第１クリップ４および第２クリップ５のうち一方もしくは両方をスライドさせ、第１クリップ４および第２クリップ５の間隔を広げることで、間接シート１を高圧引下線Ｌに安全に保持させる。
このように作業者は、一人で間接シート１を高圧引下線Ｌに被覆することができる。したがって、二人の作業者による同期した作業を削減することができ、間接活線工事中に、間接シート１を上下に延びる高圧引下線Ｌに容易に被覆することができる。
【００３７】
（２）第１クリップ４および第２クリップ５は、互いの一対の把持部７，７を接触させるそれぞれの側面に磁石７３，７４を有する。このため、第１クリップ４および第２クリップ５を隣接させると、第１クリップ４および第２クリップ５のそれぞれの磁石７３，７４は、くっつく。これにより、作業者は、隣接した第１クリップ４および第２クリップ５を一体的に操作し易くなる。
【００３８】
なお、本発明は上記実施形態に限定されず、本発明の目的を達成できる範囲で変形、改良などを行っても、本発明の範囲に包含される。
【００３９】
上記実施形態とは異なり、第１クリップ４および第２クリップ５のそれぞれの一対の把持部７，７を種々に変形してもよい。
図５は、上記実施形態の他の例に係る間接シート１の第１クリップ４Ａおよび第２クリップ５Ａを隣接した状態を示す拡大図である。
【００４０】
第１クリップ４Ａの一対の把持部７Ａ，７Ａは、第１クリップ４Ａおよび第２クリップ５Ａを隣接させたときに第２クリップ５Ａの一対の把持部７Ｂ，７Ｂの一部に被さる一対の操作板７５，７５を有する。
一対の操作板７５，７５は、上記実施形態に係る第１クリップ４の一対の把持部７，７のそれぞれの表面に、一枚接着されるものであってよい。そして、第１クリップ４Ａの一対の操作板７５，７５間は、第２クリップ５Ａの一対の把持部７Ｂ，７Ｂを挿入できる大きさに設定することが好ましい。これにより、第１クリップ４Ａの製造時には、既存のクリップに一対の操作板７５を接着する加工だけを行えばよく、第１クリップ４Ａの製造は容易である。
一対の操作板７５，７５は、上記実施形態に係る第１クリップ４の一対の把持部７，７の表面から下側に該一対の把持部７，７の半分を占める大きさに延長されるものであってよい。
【００４１】
第２クリップ５Ａの一対の把持部７Ｂ，７Ｂは、下側に一対の延長部７６，７６を有する。
一対の延長部７６，７６は、上記実施形態に係る第２クリップ５の一対の把持部７，７の表面から下側に該一対の把持部７，７の半分を占める大きさに延長されるものであってよい。
【００４２】
以上の本実施形態に係る間接シート１によれば、上記（１）、（２）の効果に加え、以下の効果を奏する。
【００４３】
（３）第１クリップ４Ａの一対の把持部７Ａ，７Ａは、第１クリップ４Ａおよび第２クリップ５Ａを隣接させたときに第２クリップ５Ａの一対の把持部７Ｂ，７Ｂの一部に被さる一対の操作板７５を有する。このため、第１クリップ４Ａおよび第２クリップ５Ａを隣接させると、一対の操作板７５は、第２クリップ６Ａの一対の把持部７Ｂ，７Ｂに被さる。このため、第１クリップ４Ａおよび第２クリップ５Ａを隣接させた際に、作業者は、間接活線工具１００Ａを用いて一対の操作板７５，７５を把持するだけで、隣接した第１クリップ４Ａおよび第２クリップ５Ａのそれぞれの一対の把持部７Ａ，７Ａおよび７Ｂ，７Ｂを同時に操作することができる。
【００４４】
（４）第２クリップ５Ａの一対の把持部７Ｂ，７Ｂは、第１クリップ４Ａ側とは反対側に一対の延長部７６，７６を有する。このため、第１クリップ４Ａおよび第２クリップ５Ａを隣接させて一対の操作板７５，７５を第２クリップ５Ａの一対の把持部７Ｂ，７Ｂの一部に被せた状態であっても、作業者は、間接活線工具１００Ａを用いて第２クリップ５Ａの一対の延長部７６，７６を含む一対の把持部７Ｂ，７Ｂのみを把持することができる。これにより、作業者は、間接活線工具１００Ａを用いて第２クリップ５Ａの一対の把持部７Ｂ，７Ｂのみを把持して一対の挟持部６，６を開いて、第１クリップ４Ａおよび第２クリップ５Ａを隣接させた状態から第２クリップ５Ａをスライドさせることができる。
【００４５】
なお、第１クリップ４Ａの一対の操作板７５と、第２クリップ５Ａの延長部７６との関係は、第２クリップに一対の操作板７５を設け、第１クリップに延長部７６を含む一対の把持部を設ける逆の関係であってもよい。
【符号の説明】
【００４６】
１…間接シート
２…絶縁シート
２１…折線部
３…棒状体
４…第１クリップ
４２…軸
５…第２クリップ
６…挟持部
７…把持部
７３，７４…磁石
７５…操作板
【図１】
2014120303.tif 000003
【図２】
2014120303.tif 000004
【図３】
2014120303.tif 000005
【図４】
2014120303.tif 000006
【図５】
2014120303.tif 000007